(57)【要約】【課題】ユーザの番組視聴を妨げることなく電子番組情報または録画リストを提供する。【解決手段】受信したデータから番組情報の取得を行うプロセッサ７と、リモコン２０から電子番組表表示要求信号を受信し、当該電子番組表表示要求信号に応じてプロセッサ７が取得した番組情報をリモコン２０に送信する第１のデータ送受信部５とを備えた放送受信装置１０と、電子番組表表示要求の入力を受け付け、電子番組表表示要求信号を出力する操作入力部２１と、操作入力部２１から出力された電子番組表表示要求信号を第１のデータ送受信部５に送信し、当該送信した電子番組表表示要求信号に応じて第１のデータ送信部５から送信された番組情報を受信する第２のデータ送受信部２２と、第２のデータ送受信部２２が受信した番組情報を、電子番組表の表示データに変換する情報処理部２３と、情報処理部２３が変換した表示データに基づいて電子番組表を表示する表示部２４とを備えたリモコン２０で構成する。【選択図】図１
2012227609.tif 000002
【特許請求の範囲】
【請求項１】
デジタル放送を受信し、受信したデータのうち選局されたチャネルの映像信号および音声信号を出力する放送受信装置と、前記放送受信装置に対する操作入力を受け付けるリモコンとからなり、
前記放送受信装置は、
前記受信したデータから番組情報の取得を行うプロセッサと、
前記リモコンから電子番組表表示要求信号を受信し、当該電子番組表表示要求信号に応じて前記プロセッサが取得した番組情報を前記リモコンに送信する第１のデータ送受信部とを備え、
前記リモコンは、
電子番組表表示要求の入力を受け付け、前記電子番組表表示要求信号を出力する操作入力部と、
前記操作入力部から出力された電子番組表表示要求信号を前記第１のデータ送受信部に送信し、当該送信した電子番組表表示要求信号に応じて前記第１のデータ送信部から送信された前記番組情報を受信する第２のデータ送受信部と、
前記第２のデータ送受信部が受信した番組情報を、電子番組表の表示データに変換する情報処理部と、
前記情報処理部が変換した表示データに基づいて電子番組表を表示する表示部とを備えたことを特徴とする、リモコンを備えた放送受信装置。
【請求項２】
デジタル放送を受信し、受信したデータのうち選局されたチャネルの映像信号および音声信号を出力または記録媒体に録画し、前記記録媒体に録画された映像信号および音声信号を出力する放送受信録画装置と、前記放送受信録画装置に対する操作入力を受け付けるリモコンとからなり、
前記放送受信録画装置は、
前記受信したデータから番組情報の取得を行うプロセッサと、
前記リモコンから電子番組表表示要求信号を受信し、当該電子番組表表示要求信号に応じて前記プロセッサが取得した番組情報を前記リモコンに送信する第１のデータ送受信部とを備え、
前記リモコンは、
電子番組表表示要求の入力を受け付け、前記電子番組表表示要求信号を出力する操作入力部と、
前記操作入力部から出力された電子番組表表示要求信号を前記第１のデータ送受信部に送信し、当該送信した電子番組表表示要求信号に応じて前記第１のデータ送受信部から送信された番組情報を受信する第２のデータ送受信部と、
前記第２のデータ送受信部が受信した番組情報を、電子番組表の表示データに変換する情報処理部と、
前記情報処理部が変換した表示データに基づいて電子番組表および録画リストを表示する表示部とを備えたことを特徴とする、リモコンを備えた放送受信録画装置。
【請求項３】
映像信号および音声信号を記録媒体に録画すると共に、前記記録媒体に録画された映像信号および音声信号を出力する録画装置と、前記録画装置に対する操作入力を受け付けるリモコンとからなり、
前記録画装置は、
前記記録媒体に録画されたデータの録画リスト情報の取得を行うプロセッサと、
前記リモコンから録画リスト表示要求信号を受信し、当該録画リスト表示要求信号に応じて前記プロセッサが取得した録画リスト情報を前記リモコンに送信する第１のデータ送受信部とを備え、
前記リモコンは、
録画リスト表示要求の入力を受け付け、前記録画リスト表示要求信号を出力する操作入力部と、
前記操作入力部から出力された録画リスト表示要求信号を前記第１のデータ送受信部に送信し、当該送信した録画リスト表示要求信号に応じて前記第１のデータ送受信部から送信された録画リスト情報を受信する第２のデータ送受信部と、
前記第２のデータ送受信部が受信した録画リスト情報を、録画リストの表示データに変換する情報処理部と、
前記情報処理部が変換した表示データを基づいて録画リストを表示する表示部とを備えたことを特徴とする、リモコンを備えた録画装置。
【請求項４】
前記操作入力部は、前記表示部に表示された電子番組表から番組を指定する番組選択要求の入力を受け付け、番組選択要求信号を出力し、
前記第２のデータ送受信部は、前記操作入力部から出力された番組選択要求信号を前記第１のデータ送受信部に送信することを特徴とする請求項１または請求項２記載のリモコンを備えた放送受信装置または放送受信録画装置。
【請求項５】
前記操作入力部は、前記表示部に表示された録画リストから再生する番組を指定する再生番組選択要求の入力を受け付け、再生番組選択要求信号を出力し、
前記第２のデータ送受信部は、前記操作入力部から出力された再生番組選択要求信号を前記第１のデータ送受信部に送信することを特徴とする請求項３記載のリモコンを備えた録画装置。
【請求項６】
前記放送受信装置または前記放送受信録画装置は、前記プロセッサが取得した番組情報から電子番組表を表示するＯＳＤ信号を生成するＯＳＤ表示回路を備え、前記ＯＳＤ表示回路で生成されたＯＳＤ信号を、前記出力する映像信号に重畳させて出力することを特徴とする請求項１または請求項２記載のリモコンを備えた放送受信装置または放送受信録画装置。
【請求項７】
前記録画装置は、前記プロセッサが取得した録画リスト情報から録画リストを表示するＯＳＤ信号を生成するＯＳＤ表示回路を備え、前記ＯＳＤ表示回路で生成されたＯＳＤ信号を、前記出力する映像信号に重畳させて出力することを特徴とする請求項３記載のリモコンを備えた録画装置。
【請求項８】
前記操作入力部は、前記電子番組表の出力先を指定する出力先要求の入力を受け付け、
前記第２のデータ送受信部は、前記操作入力部が受け付けた出力先要求を前記第１のデータ送受信部に出力し、
前記第１のデータ送受信部は、前記出力先要求を受信し、
前記プロセッサは、前記第１のデータ送受信部が受信した出力先要求を参照し、前記電子番組表の前記表示部への出力が要求された場合に、取得した番組情報を前記第１のデータ送受信部を介して前記リモコンに出力し、前記出力する映像信号への重畳出力が要求された場合に、取得した番組情報を前記ＯＳＤ表示回路に出力することを特徴とする請求項６記載のリモコンを備えた放送受信装置または放送受信録画装置。
【請求項９】
前記操作入力部は、前記録画リストの出力先を指定する出力先要求の入力を受け付け、
前記第２のデータ送受信部は、前記操作入力部が受け付けた出力先要求を前記第１のデータ送受信部に出力し、
前記第１のデータ送受信部は、前記出力先要求を受信し、
前記プロセッサは、前記第１のデータ送受信部が受信した出力先要求を参照し、前記録画リストの前記表示部への出力が要求された場合に、取得した録画リスト情報を前記第１のデータ送受信部を介して前記リモコンに出力し、前記出力する映像信号への重畳出力が要求された場合に、取得した録画リスト情報を前記ＯＳＤ表示回路に出力することを特徴とする請求項７記載のリモコンを備えた録画装置。
【請求項１０】
前記操作入力部は、前記電子番組表を前記出力する映像信号に重畳表示する設定を行う第１の操作キー、および前記電子番組表を前記表示部に表示する設定を行う第２の操作キーとを備えたことを特徴とする請求項８記載のリモコンを備えた放送受信装置または放送受信録画装置。
【請求項１１】
前記操作入力部は、前記録画リストを前記出力する映像信号に重畳表示する設定を行う第３の操作キー、または前記録画リストを前記表示部に表示する設定を行う第４の操作キーとを備えたことを特徴とする請求項９記載のリモコンを備えた録画装置。
【請求項１２】
前記操作入力部は、前記電子番組表を表示する設定を行う電子番組表キーと、前記電子番組表を前記表示部に出力するかあるいは前記出力する映像信号に重畳して出力するかを切り替える表示切替スイッチを備えたことを特徴とする請求項８記載のリモコンを備えた放送受信装置または放送受信録画装置。
【請求項１３】
前記操作入力部は、前記電子番組表を表示する設定を行う電子番組表キーを備え、
前記プロセッサは、前記電子番組表を前記表示部に表示するか、あるいは前記出力する映像信号に重畳して出力するかの設定を受け付けるメニュー表示を行うことを特徴とする請求項８記載のリモコンを備えた放送受信装置または放送受信録画装置。
【請求項１４】
前記操作入力部は、前記録画リストを表示する設定を行う録画リストキーと、前記録画リストを前記表示部に出力するかあるいは前記出力する映像信号に重畳して出力するかを切り替える表示切替スイッチを備えたことを特徴とする請求項９記載のリモコンを備えた録画装置。
【請求項１５】
前記操作入力部は、前記録画リストを表示する設定を行う録画リストキーを備え、
前記プロセッサは、前記録画リストを前記表示部に表示するか、あるいは前記出力する映像信号に重畳して出力するかの設定を受け付けるメニュー表示を行うことを特徴とする請求項９記載のリモコンを備えた録画装置。
【請求項１６】
前記放送受信録画装置または前記記録装置は、前記記録媒体を備えたことを特徴とする請求項２または請求項３記載のリモコンを備えた放送受信録画装置または録画装置。
【請求項１７】
デジタル放送を受信し、受信したデータのうち選局されたチャネルの映像信号および音声信号を出力すると共に、操作入力を受け付けるリモコンと通信可能に接続された放送受信装置において、
前記受信したデータから番組情報の取得を行うプロセッサと、
前記プロセッサが取得した番組情報を前記リモコンに送信する第１のデータ送受信部とを備えたことを特徴とする放送受信装置。
【請求項１８】
デジタル放送を受信し、受信したデータのうち選局されたチャネルの映像信号および音声信号を出力または記録媒体に録画し、前記記録媒体に録画された映像信号および音声信号を再生すると共に、操作入力を受け付けるリモコンと通信可能に接続された放送受信録画装置において、
前記受信したデータから番組情報の取得、および前記記録媒体に録画されたデータの録画リスト情報の取得を行うプロセッサと、
前記プロセッサが取得した番組情報および前記録画リスト情報を前記リモコンに送信する第１のデータ送受信部とを特徴とする放送受信録画装置。
【請求項１９】
映像信号および音声信号を記録媒体に録画すると共に、操作入力を受け付けるリモコンと通信可能に接続された録画装置において、
前記記録媒体に録画されたデータの録画リスト情報の取得を行うプロセッサと、
前記プロセッサが取得した録画リスト情報を前記リモコンに送信する第１のデータ送受信部とを備えたことを特徴とする録画装置。
【請求項２０】
電子番組表表示要求または録画リスト表示要求の入力を受け付け、表示要求信号を出力する操作入力部と、
前記操作入力部から出力された表示要求信号を送信し、前記送信した表示要求信号に応じて送信された番組情報または録画リスト情報を受信する第２のデータ送受信部と、
前記第２のデータ送受信部が受信した番組情報または録画リスト情報を、電子番組表または録画リストの表示データに変換する情報処理部と、
前記情報処理部が変換した表示データに基づいて電子番組表を表示する表示部とを備えたリモコン。
【発明の詳細な説明】
【技術分野】
【０００１】
この発明は、地上デジタル放送、ＢＳ／ＣＳ放送、ケーブル放送などを受信し、受信したデータの視聴または記録媒体への録画技術に関するものである。
【背景技術】
【０００２】
近年、地上デジタル放送、ＢＳ／ＣＳ放送およびケーブル放送など、放送の多様化に伴い、多チャンネル化が進み、受信側では従来の選局方法に加えてより高度な番組選択機能が必要とされる。この番組選択のための番組情報として、例えばＥＰＧ（Electronic Program Guide：電子番組表）が知られている。ＥＰＧは放送予定の番組の内容閲覧や検索、予約を可能にする機能を提供することができる。また、放送番組を記録媒体に記録する際に、記録した番組と番組情報を管理した録画リストを生成し、録画された番組を再生する場合に、生成した録画リストを表示手段に表示させることによりユーザは所望の録画番組を選択し、再生することができる。
【０００３】
これらＥＰＧおよび録画リストの表示方法が、非特許文献１に開示されている。非特許文献１のセットトップボックス（ひかりＴＶ対応チューナー）では、ユーザが所望の番組を視聴する際、選局した番組を指定するためにリモコンに配置されたキーを押下する。このキーの押下に応じたデータの制御信号が生成され、ユーザが所望した番組の映像信号および音声信号がデコードされたＡＶ出力として出力され、セットトップボックスに外部接続されたテレビなどの表示機器に表示される。
【０００４】
さらに、表示機器に表示された映像信号に重畳させてＥＰＧおよび録画リストが表示される。その動作としては、ユーザがリモコンのＥＰＧ表示を指示する専用キーを押下する、あるいはリモコンの録画リスト表示を指示する専用キーを押下することにより、ＥＰＧおよび録画リストを表示するためのＯＳＤ（On Screen Display）信号が生成され、生成されたＯＳＤ信号が映像信号に重畳されてＥＰＧおよび録画リストが現在ユーザが視聴中の番組表示に重畳して表示される。
【先行技術文献】
【非特許文献】
【０００５】
【非特許文献１】三菱電機製セットトップボックス（ひかりＴＶ対応チューナー）（型名：M-IPS200）取扱説明書
【発明の概要】
【発明が解決しようとする課題】
【０００６】
しかしながら、上述した従来の技術では、ＥＰＧまたは録画リストを表示する際に、ＯＳＤ信号を現在ユーザが視聴中の番組表示に重畳して出力するため、表示機器においてＥＰＧや録画リストを表示するとユーザの番組視聴が中断されるという問題があった。
【０００７】
この発明は、上記のような課題を解決するためになされたもので、ユーザの番組視聴を妨げることなくＥＰＧまたは録画リストを表示させることを目的とする。
【課題を解決するための手段】
【０００８】
この発明に係るリモコンを備えた放送受信装置は、受信したデータから番組情報の取得を行うプロセッサと、リモコンから電子番組表表示要求信号を受信し、当該電子番組表表示要求信号に応じてプロセッサが取得した番組情報をリモコンに送信する第１のデータ送受信部とを備えた放送受信装置と、電子番組表表示要求の入力を受け付け、電子番組表表示要求信号を出力する操作入力部と、操作入力部から出力された電子番組表表示要求信号を第１のデータ送受信部に送信し、当該送信した電子番組表表示要求信号に応じて第１のデータ送信部から送信された番組情報を受信する第２のデータ送受信部と、第２のデータ送受信部が受信した番組情報を、電子番組表の表示データに変換する情報処理部と、情報処理部が変換した表示データに基づいて電子番組表を表示する表示部とを備えたリモコンで構成される。
【発明の効果】
【０００９】
この発明によれば、ＥＰＧまたは録画リストをリモコン上に設けられた表示部に表示させることができ、ユーザの番組視聴を妨げることなくＥＰＧおよび録画リストを提供することができる。
【図面の簡単な説明】
【００１０】
【図１】実施の形態１による放送受信録画装置およびリモコンの構成を示すブロック図である。
【図２】実施の形態１による放送受信録画装置およびリモコンの番組選局動作を示すフローチャートである。
【図３】実施の形態１による放送受信録画装置およびリモコンの番組録画動作を示すフローチャートである。
【図４】実施の形態１による放送受信録画装置およびリモコンの録画番組再生動作を示すフローチャートである。
【図５】実施の形態１による放送受信録画装置およびリモコンのＥＰＧ表示動作を示すフローチャートである。
【図６】実施の形態１による放送受信録画装置およびリモコンの録画リスト表示動作を示すフローチャートである。
【図７】実施の形態１による放送受信録画装置およびリモコンの他の構成を示すブロック図である。
【図８】実施の形態２による放送受信録画装置およびリモコンの構成を示すブロック図である。
【図９】実施の形態２によるリモコンの操作入力部の構成を示す図である。
【図１０】実施の形態２による放送受信録画装置およびリモコンの外部表示装置へのＥＰＧ表示動作を示すフローチャートである。
【図１１】実施の形態２による放送受信録画装置およびリモコンの外部表示装置への録画リスト表示動作を示すフローチャートである。
【図１２】実施の形態２による放送受信録画装置およびリモコンの他の構成を示すブロック図である。
【図１３】実施の形態３によるリモコンの操作入力部の構成を示す図である。
【図１４】実施の形態３による放送受信録画装置およびリモコンの選択メニューの構成例を示す図である。
【図１５】この発明の放送受信装置およびリモコンの構成を示すブロック図である。
【図１６】この発明の録画装置およびリモコンの構成を示すブロック図である。
【発明を実施するための形態】
【００１１】
実施の形態１．
図１は、この発明の実施の形態１による放送受信録画装置およびリモコンの構成を示す説明図である。以下の実施の形態では、放送受信録画装置を例に説明する。
実施の形態１の放送受信録画装置１０は、番組信号入力Ｉ／Ｆ１、選局制御部２、ＤＥＭＵＸ回路３、ＡＶデコーダ４、第１のデータ送受信部５、外部機器Ｉ／Ｆ６、およびプロセッサ７で構成されている。放送受信録画装置１０と通信可能に接続されたリモコン２０は、操作入力部２１、第２のデータ送受信部２２、情報処理部２３、および表示部２４で構成されている。また、放送受信録画装置１０は、外部装置である記録装置３０と接続されている。
【００１２】
番組信号入力Ｉ／Ｆ１は、放送受信録画装置１０外部からの番組信号を入力する。選局制御部２は、入力された番組信号の中からユーザにより選局されたチャネルの番組の番組信号を取得する。ＤＥＭＵＸ回路３は、選局された番組の番組信号からＥＰＧ（Electric Program Guide：電子番組表）の生成に用いる番組情報、エンコードされた映像信号および音声信号を分離する。ＡＶデコーダ４は、エンコードされた映像信号および音声信号をデコードし、ＡＶ信号として外部の表示装置（不図示）に出力する。第１のデータ送受信部５は、リモコン２０と双方向のデータ通信を行う。
【００１３】
外部機器Ｉ／Ｆ６は、外部装置である記録装置３０との通信接続を行う。外部機器Ｉ／Ｆ６は、例えばＵＳＢメモリなどが想定されるが、ＩＥＥＥ１３９４など他のＩ／Ｆで構成してもよい。プロセッサ７は、第１のデータ送受信部５を介してリモコン２０から選局指示が入力されると、選局制御部２に対して選局制御指示を出力し、ＤＥＭＵＸ回路３に対してＤＥＭＵＸ制御信号を出力する。また、ＤＥＭＵＸ回路３から番組情報を受信し、外部機器Ｉ／Ｆ６を介して記録装置３０から録画リスト情報を受信する。受信した番組情報および録画リスト情報を第１のデータ送受信部５に出力する。
【００１４】
リモコン２０の操作入力部２１は、放送受信録画装置１０に対してユーザ所望の動作を行わせるための操作入力を受け付け、要求信号として出力する。操作入力部２１は、例えば操作入力するためのキーが配置されたキー入力手段などで構成される。第２のデータ送受信部２２は、操作入力部２１を介して入力された要求信号毎にあらかじめ割り当てられたデータを放送受信録画装置１０の第１のデータ送受信部５に送信すると共に、第１のデータ送受信部５から出力される番組情報および録画リスト情報を受信する。第１のデータ送受信部５と第２のデータ送受信部２２との間の通信は、ＲＦ（Radio Frequency）での通信などが想定されるが、ＩｒＤＡ（Infrared Data Association）規格を用いた通信など他の通信手段で構成してもよい。
【００１５】
情報処理部２３は、第２のデータ送受信部２２が受信した番組情報および録画リスト情報を、表示部２４においてＥＰＧおよび録画リストとして表示するためのデータ変換を行う。表示部２４は、ＥＰＧおよび録画リストを表示する。表示部２４としては、例えば液晶デバイスなどが想定されるが、ＣＲＴ（Cathode Ray Tube）などの他の表示デバイスで構成してもよい。
【００１６】
外部装置として放送受信録画装置１０に接続された記録装置３０は、ＤＥＭＵＸ回路３から外部機器Ｉ／Ｆ６を介して出力される録画用データを記憶し、ユーザが録画した番組を視聴する場合には録画データを外部機器Ｉ／Ｆ６を介してＤＥＭＵＸ回路３に出力する。また、外部機器Ｉ／Ｆ６を介してプロセッサ７に録画リスト情報を提供する。記録装置３０は、例えばＨＤＤが想定されるが、フラッシュメモリなど種々の記録媒体で構成してもよい。
【００１７】
次に、実施の形態１による放送受信録画装置およびリモコンの動作について、図２から図６を参照しながら説明する。なお、放送受信録画装置１０およびリモコン２０の動作は、ユーザが所望する番組を視聴する際の動作、ユーザが所望する番組を録画する際の動作、録画番組を再生する際の動作、ＥＰＧを表示する際の動作、および録画リストを表示する際の動作に分けて説明する。図２は実施の形態１による放送受信録画装置およびリモコンの番組視聴の際の動作を示すフローチャート、図３は番組録画の際の動作を示すフローチャート、図４は録画番組再生の際の動作を示すフローチャート、図５はＥＰＧ表示の動作を示すフローチャート、図６は録画リスト表示の動作を示すフローチャートである。
【００１８】
・番組視聴
まず、図２のフローチャートを参照しながらユーザが所望する番組を視聴する際の動作について説明する。
操作入力部２１を介してユーザが所望する番組の選局指示が入力されると（ステップＳＴ１）、選局要求信号が出力され、第２のデータ送受信部２２は当該選局要求信号に応じたデータを放送受信録画装置１０の第１のデータ送受信部５に送信する（ステップＳＴ２）。第１のデータ送受信部５は、ステップＳＴ２で送信されたデータをプロセッサ７に出力し、プロセッサ７はデータに応じた選局制御信号およびＤＥＭＵＸ制御信号を生成し、選局制御部２およびＤＥＭＵＸ回路３に送信する（ステップＳＴ３）。
【００１９】
選局制御部２は、ステップＳＴ３で送信された選局制御信号に基づいて、番組の選局を行う（ステップＳＴ４）。ＤＥＭＵＸ回路３は、ステップＳＴ３で送信されたＤＥＭＵＸ制御信号に基づき、ステップＳＴ４で選局された番組のエンコードされた映像信号および音声信号をＡＶデコーダ４に送信する（ステップＳＴ５）。ＡＶデコーダ４は、ステップＳＴ５で送信された映像信号および音声信号をデコードしてＡＶ信号として出力する（ステップＳＴ６）。ステップＳＴ６で出力されたＡＶ信号に基づいて外部接続されたテレビなどの表示装置において映像表示および音声出力が行われ（ステップＳＴ７）、処理を終了する。
【００２０】
・番組録画
次に、図３のフローチャートを参照しながらユーザが所望する番組を録画する動作について説明する。
操作入力部２１を介してユーザが録画を所望する番組の録画指示が入力されると（ステップＳＴ１１）、録画要求信号が出力され、第２のデータ送受信部２２は当該録画要求信号に応じたデータを放送受信録画装置１０の第１のデータ送受信部５に送信する（ステップＳＴ１２）。第１のデータ送受信部５は、ステップＳＴ１２で送信されたデータをプロセッサ７に出力し、プロセッサ７はデータに応じた選局制御信号およびＤＥＭＵＸ制御信号を生成し、選局制御部２およびＤＥＭＵＸ回路３に送信する（ステップＳＴ１３）。
【００２１】
選局制御部２は、ステップＳＴ１３で送信された選局制御信号に基づいて、番組の選局を行う（ステップＳＴ１４）。ＤＥＭＵＸ回路３は、ステップＳＴ１３で送信されたＤＥＭＵＸ制御信号に基づき、ステップＳＴ４で選局された番組の録画用データを抽出し、抽出した録画用データを外部機器Ｉ／Ｆ６を介して外部の記録装置３０に送信する（ステップＳＴ１５）。記録装置３０は、ステップＳＴ１５で送信された録画用データを内部の記憶領域（不図示）に記憶させ（ステップＳＴ１６）、処理を終了する。
【００２２】
・録画番組再生
次に、図４のフローチャートを参照しながらユーザが所望する録画番組を再生する動作について説明する。
操作入力部２１を介してユーザが再生を所望する録画番組の再生指示が入力されると（ステップＳＴ２１）、再生要求信号が出力され、第２のデータ送受信部２２は当該再生要求信号に応じたデータを放送受信録画装置１０の第１のデータ送受信部５に送信する（ステップＳＴ２２）。第１のデータ送受信部５は、ステップＳＴ２２で送信されたデータをプロセッサ７に出力し、プロセッサ７はデータを参照して再生する録画番組の録画データ取得指示を外部機器Ｉ／Ｆ６に出力する（ステップＳＴ２３）。
【００２３】
外部機器Ｉ／Ｆ６は、ステップＳＴ２３で入力された録画データ取得指示に基づいて、記録装置３０から録画データを取得し、ＤＥＭＵＸ回路３を介してＡＶデコーダ４に出力する（ステップＳＴ２４）。ＡＶデコーダ４はステップＳＴ２４で入力された録画データの映像信号および音声信号をデコードしてＡＶ信号として出力する（ステップＳＴ２５）。ステップＳＴ２５で出力されたＡＶ信号に基づいて外部接続されたテレビなどの表示装置において映像表示および音声出力が行われ（ステップＳＴ２６）、処理を終了する。
【００２４】
・ＥＰＧ表示
次に、図５のフローチャートを参照しながらＥＰＧ表示する動作について説明する。なお、このＥＰＧの表示動作は、視聴番組の選局と録画番組の選局が行われるときに表示される。
操作入力部２１を介してＥＰＧの表示を指示するＥＰＧ表示指示が入力されると（ステップＳＴ３１）、ＥＰＧ表示要求信号が出力され、第２のデータ送受信部２２は当該ＥＰＧ表示要求信号に応じたデータを放送受信録画装置１０の第１のデータ送受信部５に送信する（ステップＳＴ３２）。第１のデータ送受信部５は、ステップＳＴ３２で送信されたデータをプロセッサ７に出力し、プロセッサ７はＤＥＭＵＸ回路３から出力される番組情報を収集し、第１のデータ送受信部５に送信する（ステップＳＴ３３）。
【００２５】
第１のデータ送受信部５は、ステップＳＴ３３で送信された収集した番組情報をリモコン２０の第２のデータ送受信部２２を介して情報処理部２３に出力し、情報処理部２３は取得した番組情報をＥＰＧとして表示するためのデータに変換して表示部２４に出力する（ステップＳＴ３４）。表示部２４は、ステップＳＴ３４で入力されたデータに基づいてＥＰＧを表示する（ステップＳＴ３５）。
【００２６】
ステップＳＴ３５でＥＰＧの表示が行われると、ユーザは表示されたＥＰＧを参照し、リモコン２０の操作部２１を介して所望の視聴番組を選局する（ステップＳＴ３６）、あるいは所望の録画番組を選局する（ステップＳＴ３７）。ステップＳＴ３６およびステップＳＴ３７では、所望の番組を視聴するか、または録画するかを指定した選局が行われる。例えば、番組の視聴の場合には操作入力部２１に設けられた「決定」ボタン（不図示）を押下し、番組の録画の場合には操作入力部２１に設けられた「録画」ボタン（不図示）を押下する。
【００２７】
ステップＳＴ３６で視聴番組の選局が行われると、フローチャートは上述した図２のステップＳＴ２に進む。一方、ステップＳＴ３７で録画番組の選局が行われると、フローチャートは上述した図３のステップＳＴ１２に進む。
【００２８】
・録画リスト表示
次に、図６のフローチャートを参照しながら録画リストを表示する動作について説明する。
操作入力部２１を介して録画リストの表示を指示する録画リスト表示指示が入力されると（ステップＳＴ４１）、録画リスト表示要求信号が出力され、第２のデータ送受信部２２は当該録画リスト表示要求信号に応じたデータを放送受信録画装置１０の第１のデータ送受信部５に送信する（ステップＳＴ４２）。第１のデータ送受信部５は、ステップＳＴ４２で送信されたデータをプロセッサ７に出力し、プロセッサ７は外部機器Ｉ／Ｆ６を介して外部の記録装置３０から録画リスト情報を収集し、第１のデータ送受信部５に返す（ステップＳＴ４３）。
【００２９】
第１のデータ送受信部５はステップＳＴ４３で収集した録画リスト情報を第２のデータ送受信部２２を介して情報処理部２３に出力し、情報処理部２３は取得した録画リスト情報を録画リストとして表示するためのデータに変換して表示部２４に出力する（ステップＳＴ４４）。表示部２４は、ステップＳＴ４４で入力されたデータに基づいて録画リストを表示する（ステップＳＴ４５）。
【００３０】
ステップＳＴ４５で録画リストの表示が行われると、ユーザは表示された録画リストを参照し、リモコン２０の操作部２１を介して再生する録画番組を指定する（ステップＳＴ４６）。その後フローチャートは上述した図５のステップＳＴ２２に進む。
【００３１】
以上のように、この実施の形態１によれば、ＥＰＧおよび録画リストを表示する表示部２４をリモコン２０に設けるように構成したので、ユーザの番組視聴を妨げることなくＥＰＧおよび録画リストを提示することができる。
【００３２】
また、この実施の形態１によれば、放送受信録画装置１０がＤＥＭＵＸ回路３から出力される番組情報を収集すると共に、記録媒体に記録された録画リスト情報を収集し、収集した番組情報および録画リスト情報をリモコン２０側に提供するプロセッサ７を備え、リモコン２０がプロセッサ７から提供された番組情報および録画リスト情報をＥＰＧおよび録画リストとして表示するためのデータに変換する情報処理部２３と、ＥＰＧおよび録画リストを表示する表示部２４とを備えるように構成したので、ユーザが現在視聴中のＡＶ信号に重畳させることなくＥＰＧおよび録画リストを提示することができ、ユーザの番組視聴を妨げることがない。
【００３３】
なお、上述した実施の形態１によれば、記録装置３０を放送受信録画装置１０の外部に設け、外部機器Ｉ／Ｆ６を用いて接続する構成を示したが、図７に示すように録画データを記憶する記録部８を放送受信録画装置１０内部に設けるように構成してもよい。この場合、プロセッサ７と記録部８はＳＡＴＡ（Serial Advanced Technology Attachment）などで接続される。
【００３４】
実施の形態２．
上述した実施の形態１では、リモコン２０の表示部２４にＥＰＧおよび録画リストを表示する構成を示したが、この実施の形態２ではリモコン２０での表示に加え、放送受信録画装置１０に接続された外部の表示装置（不図示）においてＥＰＧおよび録画リストを表示する（ＯＳＤ：On-Screen Display）機能を備えた構成を示す。
図８は、実施の形態２による放送受信録画装置およびリモコンの構成を示すブロック図である。図８に示す放送受信録画装置１０は、上記実施の形態１で図１を用いて説明した放送受信録画装置１０にＯＳＤ表示回路９を追加して設けている。なお、以下では、実施の形態１による放送受信録画装置の構成要素と同一または相当する部分には実施の形態１で使用した符号と同一の符号を付し、説明を省略または簡略化する。
【００３５】
プロセッサ７´は、第１のデータ送受信部５を介してリモコン２０から選局要求信号が入力されると、選局制御部２に対して選局制御指示を出力し、ＤＥＭＵＸ回路３に対してＤＥＭＵＸ制御信号を出力する。また、ＤＥＭＵＸ回路３から番組情報を受信し、外部機器Ｉ／Ｆ６を介して記録装置３０から録画リスト情報を受信する。受信した番組情報および録画リスト情報を第１のデータ送受信部５に出力する。プロセッサ７´は、これら実施の形態１と同一の構成に加え、受信した番組情報および録画リスト情報をＯＳＤ制御信号と共にＯＳＤ表示回路９に対して出力する。なお、プロセッサ７´が番組情報および録画リスト情報を第１のデータ送受信部５に出力するか、ＯＳＤ表示回路９に出力するかの判断は、リモコン２０を介して入力されるユーザの出力先指示に基づいて行われる。
【００３６】
ＯＳＤ表示回路９は、プロセッサ７´から入力されるＯＳＤ制御信号に基づいて、番組情報および録画リスト情報を用いてＥＰＧおよび録画リストのＯＳＤ表示処理を行い、ＯＳＤ信号を生成する。ＯＳＤ表示回路９で生成されたＯＳＤ信号はＡＶデコーダ４から出力されるＡＶ信号に重畳されて出力される。
【００３７】
図９は、この発明の実施の形態２によるリモコンの操作入力部の一例を示す図である。
操作入力部２１´は、例えばユーザが放送受信録画装置１０に対して所望の動作を行わせるための指示を入力するためのキーを配置して構成される。図９に示した操作入力部２１´は、視聴中の番組にＥＰＧを重畳して表示させるための第１のＥＰＧキー２１ａ、リモコン２０の表示部２４にＥＰＧを表示させるための第２のＥＰＧキー２１ｂ、視聴中の番組に録画リストを重畳して表示させるための第１の録画リストキー２１ｃ、リモコン２０の表示部２４に録画リストを表示させるための第２の録画リストキー２１ｄで構成されている。
なお、図９では、説明の簡略化のために、操作入力部２１´を第１および第２のＥＰＧキー２１ａ，２１ｂ、第１および第２の録画リストキー２１ｃ，２１ｄで構成する例を示したが、数字キー、カラーキー、およびカーソルキーなどを配置して構成してもよい。
【００３８】
次に、実施の形態２による放送受信録画装置の動作について、図１０および図１１を参照しながら説明する。図１０は実施の形態２による放送受信録画装置およびリモコンが外部の表示装置にＥＰＧを表示する際の動作、図１１は実施の形態２による放送受信録画装置およびリモコンが外部の表示装置に録画リストを表示する際の動作を示すフローチャートである。なお、リモコン２０の表示部２４にＥＰＧおよび録画リストを表示する動作は上記実施の形態１と同一であることから説明を簡略化する。
【００３９】
・外部の表示装置にＥＰＧ表示
図１０のフローチャートを参照しながら、放送受信録画装置１０外部の表示装置にＥＰＧを表示する動作について説明する。
リモコン２０の操作入力部２１´に配置された第１のＥＰＧキー２１ａが押下されると（ステップＳＴ５１）、ＥＰＧ表示要求信号が出力され、第２のデータ送受信部２２は当該ＥＰＧ表示要求信号に応じたデータを放送受信録画装置１０の第１のデータ送受信部５に送信する（ステップＳＴ５２）。第１のデータ送受信部５は、ステップＳＴ５２で送信されたデータをプロセッサ７´に出力し、プロセッサ７´はＤＥＭＵＸ回路３から出力される番組情報を収集し、ＥＰＧをＯＳＤ表示するためのＯＳＤ制御信号と共にＯＳＤ表示回路９に出力する（ステップＳＴ５３）。
【００４０】
ＯＳＤ表示回路９は、ステップＳＴ５３で入力されたＯＳＤ制御信号に基づいて、番組情報を用いてＥＰＧのＯＳＤ表示処理を行い、ＯＳＤ信号を生成する（ステップＳＴ５４）。ステップＳＴ５４で生成されたＥＰＧのＯＳＤ信号は、ユーザが現在視聴中の番組のＡＶ信号に重畳されて出力され（ステップＳＴ５５）、外部の表示装置にＥＰＧが表示される（ステップＳＴ５６）。
【００４１】
ステップＳＴ５６でＥＰＧの表示が行われると、ユーザは表示されたＥＰＧを参照し、リモコン２０の操作部２１を介して所望の視聴番組を選局する（ステップＳＴ５７）、あるいは所望の録画番組を選局する（ステップＳＴ５８）。ステップＳＴ５７で視聴番組の選局が行われると、フローチャートは上述した図２のステップＳＴ２に進む。一方、ステップＳＴ５８で録画番組の選局が行われると、フローチャートは上述した図３のステップＳＴ１２に進む。
【００４２】
なお、リモコン２０の表示部２４にＥＰＧを表示する際の動作は、上述した実施の形態１の図５のフローチャートと同一である。図５のフローチャートのステップＳＴ３１で示したＥＰＧ表示を指示する入力操作が、操作入力部２１の第２のＥＰＧキー２１ｂを押下することにより行われる。
【００４３】
・外部の表示装置に録画リスト表示
図１１のフローチャートを参照しながら放送受信録画装置１０外部の表示装置に録画リストを表示する動作について説明する。
リモコン２０の操作入力部２１´に配置された第１の録画リストキー２１ｃが押下されると（ステップＳＴ６１）、録画リスト表示要求信号が出力され、第２のデータ送受信部２２は当該録画リスト表示要求信号に応じたデータをデジタル放送受信録画装置１０の第１のデータ送受信部５に送信する（ステップＳＴ６２）。第１のデータ送受信部５は、ステップＳＴ６２で送信されたデータをプロセッサ７´に出力し、プロセッサ７´は外部機器Ｉ／Ｆ６を介して外部の記録装置３０から録画リスト情報を収集し、録画リストをＯＳＤ表示するためのＯＳＤ制御信号と共にＯＳＤ表示回路９に出力する（ステップＳＴ６３）。
【００４４】
ＯＳＤ表示回路９は、ステップＳＴ６３で入力されたＯＳＤ制御信号に基づいて、録画リスト情報を用いて録画リストのＯＳＤ表示処理を行い、ＯＳＤ信号を生成する（ステップＳＴ６４）。ステップＳＴ６４で生成された録画リストのＯＳＤ信号は、ユーザが現在視聴中の番組のＡＶ信号に重畳されて出力され（ステップＳＴ６５）、外部の表示装置に録画リストが表示される（ステップＳＴ６６）。ステップＳＴ６６で録画リストの表示が行われると、ユーザは表示された録画リストを参照し、リモコン２０の操作部２１を介して再生する録画番組を指定する（ステップＳＴ６７）。その後フローチャートは上述した図４のステップＳＴ２２に進む。
【００４５】
なお、リモコン２０の表示部２４に録画リストを表示する際の動作は、上述した実施の形態１の図６のフローチャートと同一である。図６のフローチャートのステップＳＴ４１で示した録画リスト表示を指示する入力操作が、操作入力部２１の第２の録画リストキー２１ｄを押下することにより行われる。
【００４６】
以上のように、この実施の形態２によれば、ＥＰＧおよび録画リストをリモコン２０の表示部２４に表示させるか、あるいは放送受信録画装置１０に外部接続された表示装置に表示させるかをユーザが選択可能なキーを備えた操作入力部２１´を備えるように構成したので、ユーザのニーズによってＥＰＧおよび録画リストの表示先を変更することができる。
【００４７】
なお、図１２に示すようにこの実施の形態２においても、録画データを記憶する記録部８を放送受信録画装置１０内部に設けるように構成してもよい。
【００４８】
実施の形態３．
この実施の形態３では、ＥＰＧおよび録画リストの表示先をリモコン２０の表示部２４または外部の表示装置（不図示）のいずれかに切り替える機能を有する放送受信録画装置１０を示す。なお、放送受信録画装置１０の構成は実施の形態２で示した図８と同一であるため、説明を省略する。
図１３は、この発明の実施の形態３のリモコンの操作入力部の一例を示す図である。
操作入力部２１´´には、ユーザが放送受信録画装置１０に対して所望の動作を行わせるための指示を入力するためのキーを配置して構成される。図１３に示した操作入力部２１はＥＰＧを表示するためのＥＰＧキー２１ｅ、録画リストを表示するための録画リストキー２１ｆ、およびＥＰＧキー２１ｅあるいは録画リストキー２１ｆが押下された際に、ＥＰＧあるいは録画リストが表示される場所をリモコン２０の表示部２４または外部の表示装置のいずれかに切り替える表示切替スイッチ２１ｇで構成されている。
【００４９】
次に、実施の形態３による放送受信録画装置１０およびリモコン２０の動作について説明する。
ユーザは、事前に表示切替スイッチ２１ｇを介して、ＥＰＧおよび録画リストをリモコン２０の表示部２４または外部の表示装置のいずれに表示するかを決定しておく。プロセッサ７´は、ＥＰＧキー２１ｅあるいは録画リストキー２１ｆが押下された際の表示切替スイッチ２１ｇの設定状態に基づいて、ＥＰＧおよび録画リストを現在視聴中の番組に重畳させて表示するか、リモコン２０の表示部２４に表示するかの表示制御を行う。
【００５０】
具体的には、表示切替スイッチ２１ｇが外部の表示装置に表示する設定となっている場合、プロセッサ７´はＤＥＭＵＸ回路３から受信した番組情報、および外部機器Ｉ／Ｆ６を介して記録装置３０から受信した録画リスト情報を第１のデータ送受信部５に出力する。一方、表示切替スイッチ２１ｇがリモコン２０の表示部２４に表示する設定となっている場合、プロセッサ７´はＤＥＭＵＸ回路３から受信した番組情報、および外部機器Ｉ／Ｆ６を介して記録装置３０から受信した録画リスト情報をＯＳＤ制御信号と共にＯＳＤ表示回路９に対して出力する。
なお、ＥＰＧおよび録画リストの表示動作は実施の形態１および実施の形態２で示した動作と同一である。
【００５１】
上述した図１３では、表示切替スイッチ２１ｇをリモコン２０の操作入力部２１´´に設ける構成を示したが、放送受信録画装置１０において表示切替設定メニューを作成し、図１４に示すように作成したメニューを外部の表示装置またはリモコン２０の表示部２４に表示するように構成してもよい。ユーザは外部の表示装置または表示部２４に表示されたメニュー画面を参照し、表示先の選択を行う。図１４において、第１のラジオボタン２１ｈはＥＰＧおよび録画リストを外部の表示装置に表示することを選択するボタンであり、第２のラジオボタン２１ｉはＥＰＧおよび録画リストをリモコン２０の表示部２４に表示することを選択するボタンである。なお、ここではラジオボタンと記載したが、これは他にオプションボタンとして称されるＧＵＩ（Graphical User Interface）と同等の機能を有するものである。
【００５２】
以上のように、この実施の形態３によれば、ＥＰＧおよび録画リストをリモコン２０の表示部２４または外部の表示装置のいずれに表示するかを入力可能な表示切替スイッチ２１ｇをリモコン２０の操作入力部２１´´に設けるように構成したので、ユーザはニーズによってＥＰＧおよび録画リストの表示先を変更することができる。
【００５３】
また、この実施の形態３によれば、ＥＰＧおよび録画リストをリモコン２０の表示部２４または外部の表示装置のいずれに表示するかを選択することができる表示切替設定メニューを作成し、外部の表示装置またはリモコン２０の表示部２４に表示するように構成したので、ユーザはニーズによってＥＰＧおよび録画リストの表示先を変更することができる。
【００５４】
なお、上述した実施の形態１から実施の形態３では、ＥＰＧおよび録画リストを表示する放送受信録画装置の構成を用いて説明を行ったが、図１５に示した放送受信装置４０、あるいは図１６に示した録画装置５０のように構成してもよい。図１５に示した放送受信装置４０は、外部機器Ｉ／Ｆ６および記録装置３０または記録部８を有しておらず、ＥＰＧの表示をリモコン２０の表示部２４または外部の表示装置の何れに表示するかの制御を行う。図１６に示した録画装置５０は、受信した番組信号を記録装置３０または記録部８に録画し、録画したデータを再生する構成のみを有した構成を示している。このように、上述した放送受信録画装置１０の構成を適宜変更して構成することが可能である。
【００５５】
なお、上述した実施の形態１から実施の形態３では、リモコン２０により操作入力を行う構成を示したが、リモコンに限定されるものではなく、携帯端末など操作入力機能および表示機能を有する構成であれば適宜適用可能である。
【００５６】
なお、上述した実施の形態１から実施の形態３では、操作入力部２１，２１´，２１´´を介して入力されたユーザ操作に応じてＥＰＧおよび録画リストの表示制御を行う構成を示したが、ユーザの音声入力に応じて表示制御を行うように構成してもよい。
【００５７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５８】
１  番組信号入力Ｉ／Ｆ、２  選局制御部、３  ＤＥＭＵＸ回路、４  ＡＶデコーダ、５  第１のデータ送受信部、６  外部機器Ｉ／Ｆ、７，７´  プロセッサ、８  記録部、９  ＯＳＤ表示回路、１０  放送受信録画装置、２０  リモコン、２１，２１´，２１´´  操作入力部、２１ａ  第１のＥＰＧキー、２１ｂ  第２のＥＰＧキー、２１ｃ  第１の録画リストキー、２１ｄ  第２の録画リストキー、２１ｅ  ＥＰＧキー、２１ｆ  録画リストキー、２１ｇ  表示切替スイッチ、２２  第２のデータ送受信部、２３  情報処理部、２４  表示部、３０  記録装置、４０  放送受信装置、５０  録画装置。
【図１】
2012227609.tif 000003
【図２】
2012227609.tif 000004
【図３】
2012227609.tif 000005
【図４】
2012227609.tif 000006
【図５】
2012227609.tif 000007
【図６】
2012227609.tif 000008
【図７】
2012227609.tif 000009
【図８】
2012227609.tif 000010
【図９】
2012227609.tif 000011
【図１０】
2012227609.tif 000012
【図１１】
2012227609.tif 000013
【図１２】
2012227609.tif 000014
【図１３】
2012227609.tif 000015
【図１４】
2012227609.tif 000016
【図１５】
2012227609.tif 000017
【図１６】
2012227609.tif 000018